(57)【要約】【課題】錠なしの普通のファイルにも綴じ込んだ書類の閲覧制限を行うことができる錠を簡単に取り付けできるファイル用錠装置を提供する。【解決手段】書類綴込み部１０ａを設けた背表紙１０の両側から表表紙１１と裏表紙１２を折曲自在に設けたファイル１の前記表表紙１１と裏表紙１２の先端内面に添装して取り付ける取付片部２１、３１を基端に設けた閉鎖板２、３の一対よりなり、一方の閉鎖板に施錠・開錠手段４１を備えた錠雌部材４を取り付け、また、他方の閉鎖板に錠雄部材５を取り付ける。【選択図】図１
0003153750.tif 000002
【実用新案登録請求の範囲】
【請求項１】
書類綴込み部を設けた背表紙の両側から表表紙と裏表紙を折曲自在に設けたファイルの前記表表紙と裏表紙の先端内面に添装して取り付ける取付片部を基端に設けた閉鎖板の一対よりなり、一方の閉鎖板に施錠・開錠手段を備えた錠雌部材を取り付け、また、他方の閉鎖板に錠雄部材を取り付けたことを特徴とするファイル用錠装置。
【請求項２】
前記鎖錠・開錠手段を符合錠とした請求項１に記載のファイル用錠装置。
【請求項３】
前記錠雌部材と錠雄部材に嵌合状態において封緘することのできる封緘用穴を設けた請求項１又は２に記載のファイル用錠装置。
【請求項４】
前記各閉鎖板の基端に設けた取付片部にＪＩＳ規格の穴径６ｍｍで穴の中心から中心までの間隔を８０ｍｍとした2個の穴を設けたものとした請求項１又は２又は３に記載のファイル用錠装置。
【考案の詳細な説明】
【技術分野】
【０００１】
本考案は、書類を綴じ込んだファィルの閲覧を制限するためのファイル用錠装置に関するものである。
【背景技術】
【０００２】
書類を綴じ込んだファィルの閲覧を制限するものとしては、ファイルの表表紙と裏表紙の先端間に形成される開口を閉塞する開閉板を表表紙の先端に一体設けたうえ、該開閉板の先端に設けた係合片を裏表紙の先端に設けたロック装置に係合させて施錠して、閲覧時にはキープレートにより施錠を解除するものが知られている（例えば、特許文献１参照）。
【０００３】
ところが、前記した特許文献１から知ることのできるものは、開閉板を表表紙に製造当初から一体に設けなければならず、そのため、錠なしの普通のファイルとは別異に製造することとなり製造コストが高となるという問題がある。
【先行技術文献】
【特許文献】
【０００４】
【特許文献１】特開２００７−８１２８号公報
【考案の概要】
【考案が解決しようとする課題】
【０００５】
本考案は前記のような問題を解決して、錠なしの普通のファイルにも綴じ込んだ書類の閲覧制限を行うことができるものとするために錠を簡単に取り付けできるファイル用錠装置を提供することを目的として完成されたものである。
【課題を解決するための手段】
【０００６】
本考案のファイル用錠装置は、書類綴込み部を設けた背表紙の両側から表表紙と裏表紙を折曲自在に設けたファイルの前記表表紙と裏表紙の先端内面に添装して取り付ける取付片部を基端に設けた閉鎖板の一対よりなり、一方の閉鎖板に鎖錠・開錠手段を備えた錠雌部材を取り付け、また、他方の閉鎖板に錠雄部材を取り付けたことを特徴とするものを基本の考案とする。
【０００７】
そして、前記考案において、前記鎖錠・開錠手段を符合錠とすることが好ましい。また、これらの考案において、錠雌部材と錠雄部材に嵌合状態において封緘することのできる封緘用穴を設けることがより好ましいものである。さらに、前記各閉鎖板の基端に設けた取付片部にＪＩＳ規格の穴径６ｍｍで穴の中心から中心までの間隔を８０ｍｍとした2個の穴を設けたものとすることが好ましい。
【考案の効果】
【０００８】
前記した本考案のファイル用錠装置は、鎖錠・開錠手段を備えた錠雌部材を取付けた一方の閉鎖板の基端に設けた取付片部をファイルの前記表表紙と裏表紙のどちらか一方すなわち表表紙の先端内面に添装して取り付け、また、錠雄部材を取り付けた他方の閉鎖板の基端に設けた取付片部を裏表紙の先端内面に添装して取り付けるものである。
【０００９】
このようにファイルに取り付けられたファイル用錠装置は、錠雄部材を錠雌部材に嵌合して鎖錠すれば、閉鎖板同士が連結されて、ファル本体の表表紙と裏表紙は開くことができなくなり、書類綴込み部に綴じた書類の閲覧を制限できるものである。そして、書類の閲覧、綴込み等が必要となる時には、鎖錠・開錠手段を操作して開錠して錠雄部材の錠雌部材への嵌合を解除すれば閉鎖板同士の連結が解かれて表表紙と裏表紙を開くことができ書類の閲読、綴込み等ができる。
【００１０】
そして、前記鎖錠・開錠手段を符合錠とすることにより、鍵の保管管理を不要とできるものである。また、嵌合した錠雌部材と錠雄部材を封緘できる封緘用穴を錠雌部材と錠雄部材に設けることにより、封緘材で封緘して開錠した痕跡を残すことができより閲覧制限に適うものとなる。
【００１１】
なお、前記各閉鎖板の基端に設けた取付片部にＪＩＳ規格の穴径６ｍｍで穴の中心から中心までの間隔を８０ｍｍとした２個の穴を設けたものとすることにより、錠なしの普通のファイルの購入者が、ＪＩＳ規格の２穴パンチにより、ファイルの表表紙と裏表紙の先端側中央に前記取付片部に設けたＪＩＳ規格の穴径６ｍｍで穴の中心から中心までの間隔を８０ｍｍとした２個の穴と合致する２個の穴を開けて、これら穴を利用して止め具により、各取付片部をファイルの表表紙、裏表紙のの先端内面に添装して取り付けできるものである。
【００１２】
前記したように本考案のファイル用錠装置は、錠なしの普通のファイルの購入者が容易に錠付きファイルとして閉じた書類の閲覧制限ができるものである。
【図面の簡単な説明】
【００１３】
【図１】本考案の実施形態を鎖錠状態で示す斜視図。
【図２】本考案の実施形態を開錠状態で示す斜視図。
【図３】本考案の実施形態をファイルと分離して示す斜視図。
【図４】封緘状態を示す断面図。
【考案を実施するための形態】
【００１４】
次に、本考案の好ましい実施の形態を図に基づき説明する。
１は本考案に係るファイル用錠装置を取り付けるファイルである。このファイル１は書類綴込み部１０ａを設けた背表紙１０の両側から表表紙１１と裏表紙１２を折曲自在に設けたものである。
【００１５】
２、３は前記ファイル１の表表紙１１と裏表紙１２の先端内面に添装して取り付ける取付片部２１、３１を基端に設けた閉鎖板である。この一対の閉鎖板２、３のうち一方の閉鎖板２には施錠・開錠手段４１を備えた錠雌部材４が取り付けられている。また、他方の閉鎖板３に錠雄部材５が取り付けられている。
【００１６】
前記施錠・開錠手段４１を備えた錠雌部材４は図示の実施形態においては施錠・開錠手段４１として符合錠を使用して所定の符合が一致した時に錠雌部材４に嵌合した錠雄部材５の鎖錠が解除されるものとしている。しかしこれに限らず、鍵錠であってもよい。
【００１７】
また、前記各閉鎖板２、３の基端に設けた取付片部２１、３１にＪＩＳ規格の穴径６ｍｍで穴の中心から中心までの間隔を８０ｍｍとした2個の穴７、７を設けたものとしている。そこで、錠なしの普通のファイル１の購入者が、ＪＩＳ規格の２穴パンチにより、ファイル１の表表紙１１と裏表紙１２の先端側上下中央に前記取付片部２１、３１に設けたＪＩＳ規格の穴径６ｍｍで穴の中心から中心までの間隔を８０ｍｍとした２個の穴１１６、１１６（１２６、１２６）を前記２個の穴６、６と合致するように開ける。
【００１８】
そして、これら穴６、１１６（１２６）を利用して止め具７により、鎖錠・開錠手段４１を備えた錠雌部材４を取付けた一方の閉鎖板２の基端に設けた取付片部２１をファイル１の表表紙１１と裏表紙１２のどちらか一方すなわち表表紙１１の先端内面に添装して取り付け、また、錠雄部材５を取り付けた他方の閉鎖板３の基端に設けた取付片部３１を他方となるファイル１の裏表紙１２の先端内面に添装して取り付けするものである。
【００１９】
また、止め具７は図３に示すように、前記穴１１６（１２６）の径より大きい円形扁平状の頭部７０の中央に前記穴１１６（１２６）を挿通する筒体７１を突設して該筒体７１の内面に抜け止め係止部７１ａを備えた雌部材７ａと、前記頭部７０と同形状の頭部７０の中央に突設した前記筒体７１に嵌合する軸部７２に前記抜け止め係止部に係合する係止部７２ｂを備えた雄部材７ｂからなるものとしている。
【００２０】
前記のような雌部材７ａと雄部材７ｂからなる止め具７を使用すれば、雄部材７ｂを雌部材７ａに手指で圧入固定するだけで良いので、鎖錠・開錠手段４１を備えた錠雌部材４を取付けた閉鎖板２の基端に設けた取付片部２１をファイル１の前記表表紙１１の先端内面に添装して取り付けする作業、及び、錠雄部材５を取り付けた他方の閉鎖板３の基端に設けた取付片部３１を裏表紙１２の先端内面に添装して取り付けする作業が容易なものとなる。
【００２１】
なお、止め具７としては専用の工具が必要であるがカシメを使用しても良いことは勿論である。また、取付片部２１、３１をファイル１の表表紙１１、裏表紙１２に添装して取り付ける手段として、止め具７を使用することなく強力ボンドにより行っても良いことは勿論である。
【００２２】
さらに、前記錠雌部材４と錠雄部材５に嵌合状態において封緘することのできる封緘用穴４ａ、５ａを設けている。すなわち、錠雌部材４の嵌合穴４２の穴縁内側に封緘用穴４ａを錠雄部材５の差込み部５２の基端に封緘用穴５ａを設けて、錠雌部材４と錠雄部材５が嵌合状態となると、錠雌部材４の封緘用穴４ａと錠雄部材５の封緘用穴５ａが合致して封緘材８を挿通して封緘するものである。これにより、開錠した痕跡を残すことができより閲覧制限に適うものとなる。
【００２３】
このように構成されたファイル用錠装置は、ファイル１に取り付ければ、錠雄部材５を錠雌部材４に嵌合して鎖錠して閉鎖板２、３同士を連結して、ファイル１の表表紙１１と裏表紙１２を開くことができなくなり、書類綴込み部１０ａに綴じた書類の閲覧を制限できることとなる。そして、書類の閲覧、綴込み等が必要とするときは、鎖錠・開錠手段４１を操作して開錠して錠雄部材５の錠雌部材４への嵌合を解除すれば閉鎖板２、３同士の連結が解かれて表表紙１１と裏表紙１２を開くことができ書類の閲読、綴込み等ができるものである。
【符号の説明】
【００２４】
1  ファイル
10  背表紙
11  表表紙
12  裏表紙
2  閉鎖板
21  取付片部
3  閉鎖板
31  取付片部
4  錠雌部材
41  鎖錠・開錠手段
5  錠雄部材
6  穴
7  止め具
【図１】
0003153750.tif 000003
【図２】
0003153750.tif 000004
【図３】
0003153750.tif 000005
【図４】
0003153750.tif 000006